(57)【要約】【課題】  優れた構造強度を有すると共に、防振効果を有する鉄筋用固定コネクタを提供する。【解決手段】  二つの制限ナットと、これらの制限ナットを貫通するボルトを備え、その一つの制限ナットの中央にボルトを貫通するための貫通孔が形成されると共に、反対する両側に接合縁部を介して制限部が設けられ、各制限部の同側に鉄筋を位置決めするための位置決め凹部が形成される。他の制限ナットは、中央にボルトを貫通するためのねじ孔が形成されると共に、反対する両側に接合縁部を介して制限部が設けられ、各制限部の同側に前記位置決め凹部に対応する位置決め凹部が形成されることを特徴とする鉄筋用固定コネクタ【選択図】  図１
0003130534.tif 000002
【実用新案登録請求の範囲】
【請求項１】
二つの制限ナットと、これらの制限ナットを貫通するボルトを備え、その一つの制限ナットの中央にボルトを貫通するための貫通孔が形成されると共に、反対する両側に接合縁部を介して制限部が設けられ、各制限部の同側に鉄筋を位置決めするための位置決め凹部が形成され、他の制限ナットは、中央にボルトを貫通するためのねじ孔が形成されると共に、反対する両側に接合縁部を介して制限部が設けられ、各制限部の同側に前記位置決め凹部に対応する位置決め凹部が形成されることを特徴とする鉄筋用固定コネクタ。
【請求項２】
前記各制限部の一側に二つの位置決め凹部が形成されることを特徴とする請求項１に記載の鉄筋用固定コネクタ。
【請求項３】
前記各制限ナットに二つのボルトを貫通するため二つの貫通孔が形成されることを特徴とする請求項１に記載の鉄筋用固定コネクタ。
【考案の詳細な説明】
【技術分野】
【０００１】
本考案は、特に優れた構造強度を有すると共に、防振効果を有する鉄筋用固定コネクタに関するものである。
【背景技術】
【０００２】
通常、建築物を建てる際において、鉄筋を接合する時は、先ず鉄筋を交差にさせて、該交差箇所を鉄線によって固定し、又は、溶接手段によって交差箇所を固定する。そして、交差した鉄筋からなる鉄筋の網にセメントを充填することにより壁や柱とする。
【考案の開示】
【考案が解決しようとする課題】
【０００３】
しかし、前記固定手段により固定された鉄筋は、その固定箇所（接合箇所）の構造強度が３０００ポンド/毎箇所より小さく、セメントを凝固した構造強度の５０００ポンド/インチに対して構造強度が不足する問題があった。
【０００４】
又、様々な補強手段によって、この固定箇所の構造強度を向上させるが、該固定箇所の構造強度を満足させることができないので、セメントを凝固させる方法により、その構造強度を更に向上させる必要がある。しかし、大地震が発生したときは、凝固したセメントが崩れて、内部の鉄筋が露出することにより、鉄筋の構造強度が不足してしまうので、建築物が倒壊して、死傷者が出る恐れもある。
【０００５】
そこで、案出されたのが本考案であって、優れた構造強度を有すると共に、防振効果を有する鉄筋用固定コネクタを提供することを目的としている。
【課題を解決するための手段】
【０００６】
本願の請求項１の考案は、二つの制限ナットと、これらの制限ナットを貫通するボルトを備え、その一つの制限ナットの中央にボルトを貫通するための貫通孔が形成されると共に、反対する両側に接合縁部を介して制限部が設けられ、各制限部の同側に鉄筋を位置決めするための位置決め凹部が形成され、他の制限ナットは、中央にボルトを貫通するためのねじ孔が形成されると共に、反対する両側に接合縁部を介して制限部が設けられ、各制限部の同側に前記位置決め凹部に対応する位置決め凹部が形成されることを特徴とする鉄筋用固定コネクタ、を提供する。
【０００７】
本願の請求項２の考案は、前記各制限部の一側に二つの位置決め凹部が形成されることを特徴とする請求項１に記載の鉄筋用固定コネクタ、を提供する。
【０００８】
本願の請求項３の考案は、前記各制限ナットに二つのボルトを貫通するため二つの貫通孔が形成されることを特徴とする請求項１に記載の鉄筋用固定コネクタ、を提供する。
【考案の効果】
【０００９】
本考案は、上記の課題を解決するものであり、鉄線や溶接を用いず、ボルトに設置した制限ナットにより鉄筋を挟むことにより、鉄筋の優れた効果を達成できる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る鉄筋用固定コネクタの第１実施例の分解斜視図であり、図２は本考案に係る鉄筋用固定コネクタを十字形に使用した状態を示す斜視図であり、図３は本考案に係る鉄筋用固定コネクタを一字形に使用した状態を示す正面図であり、図４は本考案に係る鉄筋用固定コネクタより鉄筋の網を構築する状態を示す斜視図であり、図５は本考案に係る鉄筋用固定コネクタの第２実施例の使用状態を示す斜視図であり、図６は本考案に係る鉄筋用固定コネクタの第３実施例の使用状態を示す斜視図である。
【００１２】
図１乃至図４に示すように、本考案に係る鉄筋用固定コネクタの第１実施例は、位置決めをする鉄筋（３）の太さ及び間隔の距離に応じて、鉄筋の素材からなる二つの制限ナットと、これらの制限ナットを貫通するボルト（６）を備え、その一つの制限ナットの中央にボルト（６）を貫通するための貫通孔（１）が形成されると共に、反対する両側に接合縁部（４）を介して制限部が設けられ、各制限部の同側に鉄筋（３）を位置決めするための位置決め凹部（２）が形成される。
【００１３】
他の制限ナットは、前記制限ナットと殆ど等しいが、異なるのは、制限ナットの中央に貫通孔（１）の代わりにねじ孔（５）が形成される。
【００１４】
前記制限ナットの位置決め凹部（２）の断面積は、前記接合縁部（４）に向かって徐々に１０％ほど拡大する。７号以上の太さを有する鉄筋に使用する場合は、該位置決め凹部（２）に対する制限ナットの他側が突出の湾曲状を呈する。
【００１５】
又、図５に示すように、７号以下の細い鉄筋に対して、本考案に係る鉄筋用コネクタの第２実施例の制限ナットは、各制限部の一側に二つの位置決め凹部が形成されることにより、使用上の変化性を向上する。
【００１６】
図２及び図５に示すように、本考案に係る鉄筋用固定コネクタを使用すれば、交差状の制限ナットにおける位置決め凹部（２）により、交差した鉄筋の位置決めをすることができる。又、図３に示すように、制限ナットを互いに平行させれば、位置決め凹部（２）により平行した鉄筋を位置決めすることができる。
【００１７】
図６に示すように、本考案に係る鉄筋用固定コネクタの第３実施例は、前記第２実施例とほぼ同じであり、異なるのは、その制限ナットに二つのボルト（６）を貫通するため二つの貫通孔（１）が形成されることである。
【００１８】
本考案に係る鉄筋用固定コネクタを、米国材料資源学会（ＡＳＴＭ）の標準鉄筋に使用した際の耐応力データを以下に示す。
【００１９】
0003130534.tif 000003
【産業上の利用可能性】
【００２０】
本考案は上記の構成を有するので、鉄線や溶接を用いず、ボルトに設置した制限ナットにより鉄筋を挟むことにより鉄筋の優れた効果を達成できる。
【図面の簡単な説明】
【００２１】
【図１】本考案に係る鉄筋用固定コネクタの第１実施例の分解斜視図である。
【図２】本考案に係る鉄筋用固定コネクタを十字形に使用した状態を示す斜視図である。
【図３】本考案に係る鉄筋用固定コネクタを一字形に使用した状態を示す正面図である。
【図４】本考案に係る鉄筋用固定コネクタより鉄筋の網を構築する状態を示す斜視図である。
【図５】本考案に係る鉄筋用固定コネクタの第２実施例の使用状態を示す斜視図である。
【図６】本考案に係る鉄筋用固定コネクタの第３実施例の使用状態を示す斜視図である。
【符号の説明】
【００２２】
１  貫通孔
２  位置決め凹部
３  主鉄筋
４  接合縁部
５  ねじ孔
６  ボルト
７  補助鉄筋
１６  鉄筋用固定コネクタ
【図１】
0003130534.tif 000004
【図２】
0003130534.tif 000005
【図３】
0003130534.tif 000006
【図４】
0003130534.tif 000007
【図５】
0003130534.tif 000008
【図６】
0003130534.tif 000009